(57)【要約】【課題】緊急警報を放送していない地上デジタル放送を受信していても緊急警報を得る。【解決手段】地上デジタル放送を受信するアンテナと複調する複数の複調部と、復調した信号のＴＭＣＣ内の緊急警報を判断する複数のＴＭＣＣ判断部とＡＣ内の緊急警報を判断する複数のＡＣ判断部と、複数の緊急警報を入力する緊急情報表現部とを有し、地上デジタル放送の複数チャンネルのＴＭＣＣまたはＡＣに含まれている緊急警報を受信し、少なくとも一つの緊急警報に基づきサイレンの発報、赤色警告灯の点灯や点滅、非常口の緑色表示灯の点灯や点滅、または、緊急情報を写し出したり、転倒を警告したり、転倒を防止したりする。【選択図】図１−２
2011101181.tif 000002
【特許請求の範囲】
【請求項１】
地上デジタル放送を受信するアンテナと複調する複数の複調部と、復調した信号のＴＭＣＣ内の緊急警報を判断する複数のＴＭＣＣ判断部とＡＣ内の緊急警報を判断する複数のＡＣ判断部との少なくとも一方と、複数の緊急警報を入力する緊急情報表現部とを有し、地上デジタル放送の複数チャンネルのＴＭＣＣまたはＡＣの少なくとも一方に含まれている緊急警報を受信し、少なくとも一つの緊急警報に基づき緊急警報の発報を行うことを特徴とする緊急警報放送受信システム。
【発明の詳細な説明】
【技術分野】
【０００１】
本発明は、デジタル放送における緊急警報放送の受信システムに関するものである。
【背景技術】
【０００２】
地上デジタル放送は、ビル内、地下街、地下鉄等の電波遮蔽空間にも伝送され、あらゆる場所で地上デジタル放送が受信可能となる。緊急警報放送実施時には放送局は、ＴＭＣＣ情報に緊急警報放送起動フラグを送出するだけでなく、緊急情報記述子にｓｔａｒｔ  ｅｎｄ  ｆｌａｇ、１種／２種種別、地域符号も送られることが運用（ＡＲＩＢ規格  ＴＲ−Ｂ１５）で決められている。
【０００３】
従来の緊急警報放送受信システムに類するものとしては、緊急警報放送を検知した際に、テレビ受信機や１セグ受信携帯電話機の電源を起動させ視聴者に画面やスピーカ音声やブザーで通知している。また、予め指定された字幕又は文字スーパーを受信した場合、注意喚起を行うデジタル放送受信機の例もある（特許文献１参照）。統制局が通報する情報と放送局が放送するニュース等の情報とを関連付けて受信、表示する無線端末局の例もある（特許文献２参照）。さらに、放送局の緊急警報放送起動フラグ信号をテレビ受信機の出力端子より警告灯に伝送し警告表示させる例もある。
【先行技術文献】
【特許文献】
【０００４】
【特許文献１】特開２００６−２４５６５２号公報
【特許文献２】特開２００８−３０６２６２号公報
【発明の概要】
【発明が解決しようとする課題】
【０００５】
地上デジタル放送の中には、緊急警報を示すフラグが挿入されている地上デジタル放送を受信し続けていないと、挿入されているフラグを検出できず、緊急警報を得る事が出来ない。
【０００６】
本発明は、緊急警報を放送していない地上デジタル放送を受信していても緊急警報を得ることを目的とする。
【課題を解決するための手段】
【０００７】
本発明は、上記の目的を達成するために、地上デジタル放送を受信するアンテナと複調する複数の複調部と、復調した信号のＴＭＣＣ内の緊急警報を判断する複数のＴＭＣＣ判断部とＡＣ内の緊急警報を判断する複数のＡＣ判断部との少なくとも一方と、複数の緊急警報を入力する緊急情報表現部とを有し、地上デジタル放送の複数チャンネルのＴＭＣＣまたはＡＣの少なくとも一方に含まれている緊急警報を受信し、少なくとも一つの緊急警報に基づき緊急警報の発報を行うことを特徴とする緊急警報放送受信システムである。
【０００８】
さらに、上記の緊急警報放送受信システムにおいて、上記の緊急警報の発報が、サイレンの発報、赤色表示灯の点灯や点滅、非常口の緑色表示灯の点灯や点滅、であることを特徴とする緊急警報放送受信システムである。
また、上記の緊急警報放送受信システムにおいて、上記の緊急警報の発報が、緊急情報の写し出しや、転倒の警告や、転倒防止であることを特徴とする緊急警報放送受信システムである。
【発明の効果】
【０００９】
以上説明したように本発明によれば、緊急警報を放送していない地上デジタル放送を受信していても、複数チャンネルの地上デジタル放送に含まれている信号の緊急警報の成分を受信して緊急警報である事を表現する事で、周囲の人に緊急情報を表現する。
【図面の簡単な説明】
【００１０】
【図１−１】本発明の一実施例の緊急警報放送受信システムを示すブロック図
【図１−２】本発明の一実施例の緊急警報放送受信システムを示すブロック図
【図２−１】本発明の一実施例の緊急警報放送受信システムを示すブロック図
【図２−２】本発明の一実施例の緊急警報放送受信システムを示すブロック図
【図３−１】本発明の一実施例の緊急警報放送受信システムを示すブロック図
【図３−２】本発明の一実施例の緊急警報放送受信システムを示すブロック図
【図４−１】本発明の一実施例の緊急警報放送表現部を示すブロック図
【図４−２】本発明の一実施例の緊急警報放送表現部を示すブロック図
【図４−３】本発明の一実施例の緊急警報放送表現部を示すブロック図
【図４−４】本発明の一実施例の緊急警報放送表現部を示すブロック図
【図４−５】本発明の一実施例の緊急警報放送表現部を示すブロック図
【図４−６】本発明の一実施例の緊急警報放送表現部を示すブロック図
【図４−７】本発明の一実施例の緊急警報放送表現部を示すブロック図
【発明を実施するための形態】
【実施例１】
【００１１】
本発明の実施例を本発明の一実施例の緊急警報放送受信システムを示すブロック図の図１−１を用いて説明する。図１−１に示すように、アンテナ１８で放送波を受信し同軸線１９で伝送した放送チャンネル信号1Aを本発明の一実施例の緊急警報放送受信システム１０内の復調部１１に入力する。復調部１１は、チャンネル1Aを周波数変換しＡ／Ｄして等化しＯＦＤＭ復調し、復調信号1BをＴＭＣＣ（Ｔｒａｎｓｍｉｓｓｉｏｎ  ＆  Ｍｕｌｔｉｐｌｅｘｉｎｇ  Ｃｏｎｆｉｇｕｒａｔｉｏｎ  Ｃｏｎｔｒｏｌ）判断部１２へ出力する。ＴＭＣＣ判断部１２は復調信号1Bの中の、ＴＭＣＣ情報の中の緊急警報に関する部分が発令された場合に緊急情報表現部１４へ出力する。この時1Aとして入力する放送波はＮＨＫでも他局の放送番組であっても良い。緊急情報表現部１４は、1C緊急警報が来た場合に、サイレン、赤色警告灯の点灯や点滅、非常口の緑色表示灯の点灯、点滅や警報の発報を行う事で、周囲の人に緊急情報を表現するものである。
【００１２】
また、停電時用バッテリを備えれば、地上デジタルを受信する際の受信機の電源の心配なく、周囲の人に早く緊急警報が発令された事を表現可能である。
【００１３】
また、本発明の一実施例の緊急警報放送受信システムを示すブロック図の図１−２に示すように本発明の一実施例の緊急警報放送受信システム４０は、アンテナ１８で放送波を受信し同軸線１９で伝送した複数の放送チャンネルを同時に受信し、受信している放送チャンネルの何れかに緊急警報が発報された時に緊急情報表現部が動作する様な仕組みでもよい。放送チャンネルを複数入力し、放送チャンネルの数と同じ分の復調部２１を設ける。復調部２１は前述の復調部１１と同一機能であり放送チャンネルを周波数変換しＡ／Ｄし等化してＯＦＤＭ復調し、復調信号1BをＴＭＣＣ判断部２２へ出力する。復調部２１とＴＭＣＣ判断部２２は対になっていて、各放送波内で緊急警報が発令された時に緊急情報表現部１５へ信号を出力する。緊急情報表現部１５は入力する放送波の数だけ緊急警報1Cの入力があり、その何れか1つ以上が発令された時に、緊急情報表現部１５が動作する。こうする事で、何れか１つ以上の放送局が発報したチャンネルの緊急警報を周囲に表現する事が可能である。
【００１４】
緊急警報を放送していない地上デジタル放送やエリア放送を受信していても、複数チャンネルの地上デジタル放送のいずれかにに含まれている信号の緊急警報の成分を受信して緊急警報である事を表現する事で、周囲の人に緊急情報を表現する。
【実施例２】
【００１５】
本発明の一実施例の緊急警報放送受信システムを示すブロック図の図２−１に示すように、本発明の一実施例の緊急警報放送受信システム２０は、アンテナ１８で放送波を受信し同軸線１９で伝送した放送チャンネル信号1Aを本発明送信機20内の復調部１１に入力する。復調部１１は、放送チャンネル信号1Aを周波数変換しＡ／Ｄし等化してＯＦＤＭ復調し、復調信号1BをＡＣ（Ａｕｘｉｌｉａｒｙ  Ｃｈａｎｎｅｌ）判断部１３へ出力する。ＡＣ判断部１３は復調信号1Bの中の、ＡＣ情報の中の緊急警報に関する部分が発令された場合に緊急情報表現部１４へ出力する。この時1Aとして入力する放送波はNHKでも他局の放送番組であっても良い。緊急情報表現部１４は、1C緊急警報が来た場合に、サイレン、非常灯や警告灯などの表示灯の点灯、点滅や警報の発報を行う事で、周囲の人に緊急情報を表現するものである。
【００１６】
また、本発明の一実施例の緊急警報放送受信システムを示すブロック図の図２−２に示すように本発明の一実施例の緊急警報放送受信システム５０は、アンテナ１８で受信し同軸線１９で伝送した複数の放送チャンネルを同時に受信し、受信している放送チャンネルの何れかに緊急警報が発報された時に緊急情報表現部が動作する様な仕組みでもよい。放送チャンネルを複数入力し、放送チャンネルの数と同じ分の復調部２１を設ける。復調部２１は前述の復調部１１と同一機能であり放送チャンネルを周波数変換しＡ／Ｄし等化してＯＦＤＭ復調し、復調信号1BをＡＣ判断部２３へ出力する。復調部２１とＡＣ判断部２３は対になっていて、各放送チャンネル内で緊急警報が発令された時に緊急情報表現部１６へ信号を出力する。緊急情報表現部１６は入力する放送波の数だけ緊急警報1Cの入力があり、その何れか1つ以上が発令された時に、緊急情報表現部１６が動作する。こうする事で、何れか１つ以上の放送局が発報したチャンネルの緊急警報を周囲に表現する事が可能である。
【００１７】
緊急警報をＴＭＣＣで放送していない地上デジタル放送やエリア放送を受信していても、複数チャンネルの地上デジタル放送のいずれかのＡＣに含まれている信号の緊急警報の成分を受信して緊急警報である事を表現する事で、周囲の人に緊急情報を表現する。
【実施例３】
【００１８】
本発明の一実施例の緊急警報放送受信システムを示すブロック図の図３−１に示すように、本発明の一実施例の緊急警報放送受信システムは、アンテナ１８で放送波を受信し同軸線１９で伝送した放送チャンネル信号1Aを本発明送信機３０内の復調部11に入力する。復調部１１は、放送チャンネル信号1Aを周波数変換しＡ／Ｄし等化してＯＦＤＭ復調し、復調信号1BをＴＭＣＣ判断部１２とＡＣ判断部１３へ出力する。ＴＭＣＣ判断部１２は復調信号1Bの中の、ＴＭＣＣ情報の中の緊急警報に関する部分が発令された場合に緊急情報表現部１５へ出力する。ＡＣ判断部１３は復調信号1Bの中の、ＡＣ情報の中の緊急警報に関する部分が発令された場合に緊急情報表現部１５へ出力する。この時1Aとして入力する放送チャンネルはＮＨＫでも他局の放送番組であっても良い。緊急情報表現部１５は、1C緊急警報が来た場合に、サイレン、非常灯や警告灯などの表示灯の点灯、点滅や警報の発報を行う事で、周囲の人に緊急情報を表現するものである。
【００１９】
また、本発明の一実施例の緊急警報放送受信システムを示すブロック図の図３−２に示すように本発明の一実施例の緊急警報放送受信システムは、アンテナ１８で受信し同軸線１９で伝送した複数の放送チャンネルを同時に受信し、受信している放送チャンネルの何れかに緊急警報が発報された時に緊急情報表現部が動作する様な仕組みでもよい。放送チャンネルを複数入力し、放送チャンネルの数と同じ分の復調部２１を設ける。復調部２１は前述の復調部１１と同一機能であり放送チャンネルを周波数変換しＡ／Ｄし等化してＯＦＤＭ復調し、復調信号1BをＴＭＣＣ判断部２２とＡＣ判断部２３へ出力する。復調部２１、ＴＭＣＣ判断部２２、ＡＣ判断部２３は対になっていて、各放送チャンネル内で緊急警報が発令された時に緊急情報表現部１７へ信号を出力する。緊急情報表現部１７は入力する放送チャンネルの数だけ緊急警報1Cの入力があり、その何れか1つ以上が発令された時に、サイレン、非常灯や警告灯などの緊急情報表現部１７が動作する。こうする事で、何れか１つ以上の放送局が発報した放送チャンネルの緊急警報を周囲に表現する事が可能である。
【００２０】
緊急警報を放送していない地上デジタル放送やエリア放送を受信していても、複数チャンネルの地上デジタル放送のいずれかのＴＭＣＣまたはＡＣの少なくとも一方に含まれている信号の緊急警報の成分を受信して緊急警報である事を表現する事で、周囲の人に緊急情報を表現する。
【実施例４】
【００２１】
前述の緊急情報表現部１４〜１７は例えば、地上デジタル放送の電波に含まれている信号の緊急警報の成分を受信して緊急警報である事を表現する部分が、非常灯やアンテナに内臓するプロジェクタから避難経路が映し出されても良い。具体的には図４−１に示すように非常灯７０中に内蔵する本発明の緊急情報表現部１４〜１７の一実施例がプロジェクタ１４Ａであり、前記1C緊急警報を検知し、避難経路等の緊急情報を写し出す。図４−２に示すようにアンテナ７１中に内蔵する本発明の緊急情報表現部１４〜１７の一実施例がプロジェクタ１４Ａであり、前記1C緊急警報を検知し、避難経路等の緊急情報を写し出す。
【００２２】
非常灯やアンテナから透かし絵として非常灯やアンテナ表面に写っても良い。具体的には図４−３に示すように非常灯７０中に内蔵する本発明の緊急情報表現部１４〜１７の一実施例が透かし絵１４Ｂであり、前記1C緊急警報を検知し、避難経路等の緊急情報を写し出す。図４−４に示すようにアンテナ７１中に内蔵する本発明の緊急情報表現部１４〜１７の一実施例が透かし絵１４Ｂであり、前記1C緊急警報を検知し、避難経路等の緊急情報を写し出す。
【００２３】
また、自動販売機に本機能が本発明が内臓されていて、緊急時に自動販売機が転倒する可能性がある事を周囲に知らせても良い。具体的には図４−５に示すように自動販売機７２中に内蔵する本発明の緊急情報表現部１４〜１７の一実施例が転倒警報部１４Ｃでありし、前記1C緊急警報を検知し、自動販売機７２の転倒の可能性を周囲に警告する。
【００２４】
また、美術館等の展示物が緊急時に転倒する事を防止するために、緊急警報を受信した場合に、転倒防止のロックが架かったり、転倒防止ネットが展示物の上から降りてくる仕組みでも良い。具体的には図４−６に示すよう展示物７３中に内蔵する本発明の緊急情報表現部１４〜１７の一実施例が転倒防止ロック１４Ｄであり、前記1C緊急警報を検知し、物体が転倒する事を防止するために展示物７３に転倒防止ロック１４Ｄがかかる。または、図４−７に示すよう展示物７３中に内蔵する本発明の緊急情報表現部１４〜１７の一実施例が転倒防止ネット１４Ｅであり、前記1C緊急警報を検知し、展示物７３が転倒する事を防止するために転倒防止ネット１４Ｅが展示物７３にかかる。
【符号の説明】
【００２５】
１０，２０，３０，４０，５０：緊急警報放送受信システム、
１１，２１：復調部、
１２，２２：ＴＭＣＣ判断部、１３，２３：ＡＣ判断部、
１４，１５，１６，１７：緊急情報表現部、１８：アンテナ、１９：同軸線、
１４Ａ：プロジェクタ、１４Ｂ：透かし絵、１４Ｃ：転倒警告部、１４Ｄ：転倒防止ロック、１４Ｅ：転倒防止ネット、
７０：非常灯、７１：アンテナ、７２：自動販売機、７３：展示物、
【図１−１】
2011101181.tif 000003
【図１−２】
2011101181.tif 000004
【図２−１】
2011101181.tif 000005
【図２−２】
2011101181.tif 000006
【図３−１】
2011101181.tif 000007
【図３−２】
2011101181.tif 000008
【図４−１】
2011101181.tif 000009
【図４−２】
2011101181.tif 000010
【図４−３】
2011101181.tif 000011
【図４−４】
2011101181.tif 000012
【図４−５】
2011101181.tif 000013
【図４−６】
2011101181.tif 000014
【図４−７】
2011101181.tif 000015